(57)【要約】【課題】  不要なハンドオーバの頻発を防ぎ、通信時のスループットの悪化を防止する。【解決手段】  ＣＰＵ６は、ハンドオーバが所定の発生原因により発生したのか或いは所定の発生原因以外の原因により発生したのかを判定し、所定発生原因以外の原因により発生したハンドオーバの回数を計測し、そのハンドオーバの回数が所定時間内に所定回数に達したとき、アンテナ切り替え回路３を制御して、使用アンテナを無指向性の第１アンテナ１から指向性の第２アンテナ２へ切り替えさせ、送受信回路４に接続させる。【選択図】  図１
2005033575.tif 000002
【特許請求の範囲】
【請求項１】
無指向性の第１のアンテナと、
指向性の第２のアンテナと、
上記第１のアンテナと第２のアンテナの何れか一方を通信回路に接続するアンテナ切り替え手段と、
ハンドオーバ処理を行うハンドオーバ処理手段と、
ハンドオーバが、所定の発生原因により発生したのか或いは所定の発生原因以外の原因により発生したのかを判定する判定手段と、
上記所定の発生原因以外の原因により発生したと上記判定手段が判定したハンドオーバの回数を計測する計測手段と、
上記計測手段が計測した上記ハンドオーバの回数が、所定時間内に所定回数に達したとき、上記アンテナ切り替え手段を制御して上記第２のアンテナを通信回路に接続させる制御手段とを有する
ことを特徴とする移動無線通信端末。
【請求項２】
請求項１記載の移動無線通信端末であって、
上記制御手段は、上記計測手段が計測したハンドオーバの回数が、所定時間内に所定回数を下回っているときには、上記アンテナ切り替え手段を制御して上記第１のアンテナを通信回路に接続させることを特徴とする移動無線通信端末。
【請求項３】
請求項１記載の移動無線通信端末であって、
複数の第２のアンテナを備え、
上記複数の第２のアンテナの内の何れか一つが通信回路に接続されている状態で、上記計測手段が計測したハンドオーバの回数が所定時間内に所定回数に達したとき、上記制御手段は、上記アンテナ切り替え手段を制御して別の第２のアンテナを通信回路に接続させることを特徴とする移動無線通信端末。
【請求項４】
請求項３記載の移動無線通信端末であって、
上記複数の各第２のアンテナの受信電界強度を検出する電界強度検出手段を有し、
上記制御手段は、上記電界強度検出手段により検出された受信電界強度の強い順に、上記通信回路に接続させる第２のアンテナを決定することを特徴とする移動無線通信端末。
【発明の詳細な説明】
【技術分野】
【０００１】
本発明は、複数の基地局の何れかと通信可能な携帯電話端末等の移動無線通信端末に関する。
【背景技術】
【０００２】
従来より、携帯電話システムは、携帯電話端末の移動時における安定通信を最重要課題として設計されている。このため、携帯電話端末は、或る基地局との間の通信経路が確立している状態で、移動等に伴う通信品質の劣化を検出した場合、その基地局と通信不能になる前に別の基地局との間の通信経路を確立させ、その後、適当なタイミングで、使用通信経路を当該別の基地局との間の通信経路へ切り替えることにより、上記移動等による通信途絶を無くすことを可能にした、いわゆるハンドオーバと呼ばれる処理を行う機能を備えている。また、携帯電話端末は、移動等に伴って電波の伝搬路が時々刻々と様々に変化する、いわゆるフェージング対策のために、ダイバーシティ受信機能を備えていることも多い。なお、携帯電話端末におけるダイバーシティ受信は、例えばいわゆるＲＳＳＩ（Receive Signal Strength Indicator）レベルによる受信電界強度やＢＥＲ（Bit Error Rate）、ＦＥＲ（Flame Error Rate）等の通信時エラーレートの何れかを基準にしたアンテナダイバーシティ受信が採用されている。
【０００３】
なお、無線通信システムにおいて、ハンドオーバ時の通信経路の切り替え時間と切り替え頻度を低減することにより、端末移動時における安定通信を確保するための従来のシステム例として、特許文献１に記載された技術が知られている。この特許文献１において、基地局は、アンテナからの送信ビームを、通信情報に応じて無指向性ビームアンテナと指向性ビームアンテナの何れかに切り替え可能となされており、例えば、同一通知情報を伝送する際には無指向性ビームを使用し、個別データを伝送する際には指向性ビームを使用する。この無線通信システムによれば、基地局は、異なる移動端末に対して同一通知情報を送信する際にビーム切り替え制御が不要となり、例えば指向性ビームのみを運用する基地局よりもハンドオフ処理時間を低減でき、また、所望の移動端末に対して個別データを伝送する際に無線条件の良い回線を確保可能となり、端末移動時における安定通信を実現している。
【０００４】
【特許文献１】特開平１１−７４８３１号公報（第３図）
【発明の開示】
【発明が解決しようとする課題】
【０００５】
ところで、近年の携帯電話網においては、基地局が数多く配置され、各基地局間の距離も近くなる傾向にあり、各隣接基地局のカバーエリアもそれぞれ近接したり重なることが多くなってきている。ところが、このように各基地局間の距離が近く、複数の基地局のカバーエリアが近接したり重なっている地域内の携帯電話端末は、概ね強電界の環境下に置かれることになるため、何れの基地局とも通信可能な状態になり、その結果、移動等していない使用状況下であっても、不要なハンドオーバを行ってしまい易くなる。特に、高速，大容量通信を行っている際に、不要なハンドオーバが頻発すると、通信時のスループットが悪化してしまうことになり、好ましくない。
【０００６】
本発明は、このような実情に鑑みて提案されたものであり、不要なハンドオーバの頻発を防ぎ、通信時のスループットの悪化を防止可能な、移動無線通信端末を提供することを目的とする。
【課題を解決するための手段】
【０００７】
本発明は、第１のアンテナと第２のアンテナの何れか一方を通信回路に接続するアンテナ切り替え手段と、ハンドオーバが所定の発生原因により発生したのか或いは所定の発生原因以外の原因により発生したのかを判定する判定手段と、所定発生原因以外の原因により発生したと判定されたハンドオーバの回数を計測する計測手段と、ハンドオーバの回数が所定時間内に所定回数に達したとき、アンテナ切り替え手段を制御して第２のアンテナを通信回路に接続させる制御手段とを有する。
【０００８】
本発明によれば、所定の発生原因以外の原因によりハンドオーバが頻発する場合には、指向性のアンテナを使用することで、ハンドオーバの発生頻度を低減している。
【発明の効果】
【０００９】
本発明によれば、所定の発生原因以外の原因によりハンドオーバが頻発する場合に、指向性のアンテナを使用してハンドオーバの発生頻度を低減することで、不要なハンドオーバによって通信時のスループットが悪化してしまう状態の発生を防止可能である。
【発明を実施するための最良の形態】
【００１０】
以下、本発明の好ましい実施の形態について、図面を参照しながら説明する。
【００１１】
本実施形態では、本発明にかかる移動無線通信端末の一例として、携帯電話端末を挙げている。
【００１２】
図１には、本実施形態の携帯電話端末の内部回路構成を示している。なお、図１に示した各回路構成は、主要なもののみを挙げている。
【００１３】
図１において、本実施形態の携帯電話端末は、第１アンテナ１と第２アンテナ２の少なくとも二つのアンテナを備えている。第１アンテナ１は、例えばホイップアンテナ、ヘリカルアンテナ、ダイポールアンテナ等からなる無指向性アンテナである。第２アンテナ２は、パッチアンテナ、スリットアンテナ等からなる指向性アンテナである。なお、無指向性アンテナである第１アンテナ１は、放射パターンが真円のものだけに限定されず、携帯電話端末として使用するのに充分な放射パターンを持つアンテナであれば良い。指向性アンテナである第２アンテナ２は、放射パターンのビーム方向が、或る一方向のみとなされたもののみに限定されない。また、第２アンテナ２は、一つのアンテナに限定されず、放射パターンのビーム方向がそれぞれ異なる二つ以上の複数のアンテナであっても良い。特に、複数の第２アンテナ２を用いることにした場合、それら複数の指向性アンテナを、３６０度全方向を網羅できるように配置しても良い。但し、第２アンテナ２を複数の指向性アンテナとした場合、それら各アンテナは、大きさが限られている携帯電話端末に搭載可能な、内蔵アンテナであることが望ましい。以下、本実施形態では、第１アンテナが例えば真円の放射パターンを有したアンテナであり、第２アンテナ２が放射パターンのビーム方向が一方向のみとなされた一つのアンテナである場合を例に挙げて説明する。
【００１４】
アンテナ切り替え回路３は、切り替え制御回路７からの切り替え制御信号により、それら第１アンテナ１，第２アンテナ２の何れか一方を送受信回路（通信回路）４に接続する。切り替え制御回路７は、後述するＣＰＵ（Central Processing Unit）６の制御の元で、上記アンテナ切り替え回路３へ切り替え制御信号を送る。なお、第２アンテナ２が２つ以上の複数のアンテナであった場合、切り替え制御回路７は、上記第２アンテナ２を送受信回路４に接続する際に、それら複数の各第２アンテナ２の中から何れか一つを送受信回路４に接続するための切り替え制御信号を発生し、アンテナ切り替え回路３はその切り替え制御信号に応じて選択した一つの第２アンテナ２を送受信回路４に接続することになる。本実施形態において、第１，第２アンテナ１，２の何れをどのような場合に選択するのかについての説明は後述する。
【００１５】
送受信回路４は、上記アンテナ切り替え回路３を介して接続されているアンテナを送受信で共用し、信号受信時にはアンテナからの受信信号の増幅やベースバンド信号への周波数変換等を行って後段のベースバンド信号処理回路５へ送り、信号送信時にはベースバンド信号処理回路５からの信号のＲＦ帯域への周波数変換や増幅等を行い、アンテナ切り替え回路３へ送る。
【００１６】
ベースバンド信号処理回路５は、送受信回路４からの受信信号の復調、逆拡散処理、デインターリーブ処理、誤り訂正処理、アナログ／ディジタル変換等を行い、得られた受信データをＣＰＵ６へ出力する。また、ベースバンド信号処理回路５は、ＣＰＵ６からの送信データを受け取り、ディジタル／アナログ変換、インターリーブ処理、誤り訂正符号の付加処理、拡散処理、変調処理等を行い、得られた送信信号を送受信回路４へ出力する。なお、当該ベースバンド信号処理回路５は、ＲＳＳＩ検出部２０も備えており、当該ＲＳＳＩ検出部２０により受信電界強度を求めている。当該ＲＳＳＩ検出部２０が測定した受信電界強度値はＣＰＵ６へ送られる。
【００１７】
操作部８は、本実施形態の携帯電話端末に設けられている図示しない各種キーやジョグダイヤルなどからなり、それらキー等がユーザにより操作されたとき、そのユーザ操作に応じた操作信号を発生してＣＰＵ６へ送る。
【００１８】
ＲＯＭ（Read Only Memory）９は、ＣＰＵ６が各部を制御したり各種の演算を行うためのプログラムや各種の初期設定値、フォントデータなどを記憶している。なお、このＲＯＭ９は、ＥＥＰＲＯＭ（Electrically Erasable and Programmable Read Only Memory）のような書き換え可能なＲＯＭであっても良い。
【００１９】
ＲＡＭ（Random Access Memory）１０は、ＣＰＵ６が各種のデータ処理を行う際の作業領域として、随時データを格納する。
【００２０】
表示部１１は、本実施形態の携帯電話端末が備えているディスプレイとその駆動回路とからなり、ＣＰＵ６から供給された表示信号に応じて上記ディスプレイ上に画像や文字等を表示する。
【００２１】
マイクロホン１２は、本実施形態の携帯電話端末の送話部に設けられ、ユーザによる通話音声等を電気信号に変換してＣＰＵ６へ送る。
【００２２】
スピーカ１３は、本実施形態の携帯電話端末の受話部に設けられ、通話相手先からの音声を出力する。なお、着信音用スピーカの図示は省略している。
【００２３】
移動検出部１４は、例えば加速度センサや地磁気センサ、ＧＰＳ（Global Positioning System）受信回路等の何れか若しくはそれらの組み合わせからなり、当該携帯電話端末が移動したか若しくは移動していないかを表す移動検出情報を生成する。当該移動検出情報は、ＣＰＵ６へ送られる。
【００２４】
ＣＰＵ６は、各構成要素の制御や各種の演算、データ処理等を行う。
【００２５】
特に本実施形態の場合、ＣＰＵ６は、ハンドオーバにかかわる各種の処理を行うハンドオーバ処理部２１、通信時のスルーレートを測定するスルーレート検出部２２、通信時のビットエラーレートを測定するＢＥＲ検出部２３、通信時のフレームエラーレートを測定するＦＥＲ検出部２４の各機能も実現可能と成されている。そして、ＣＰＵ６は、ハンドオーバ処理部２１が行ったハンドオーバの回数及び各ハンドオーバ処理時の接続先基地局の固有識別コード、スルーレート検出部２２が検出したスルーレート情報、ＢＥＲ検出部２３が検出したビットエラーレート情報、ＦＥＲ検出部２４が検出したフレームエラーレート情報、ベースバンド信号処理回路５のＲＳＳＩ検出部２０からの受信電界強度値、移動検出部１４からの移動検出情報等を用いて、上記無指向性の第１アンテナ１と指向性の第２アンテナの何れかに設定するためのアンテナ設定情報を生成し、そのアンテナ設定情報を切り替え制御回路７へ送る。このときの切り替え制御回路７は、当該アンテナ設定情報に応じて、上記アンテナ切り替え回路３の切り替え動作を制御するための切り替え制御信号を発生する。これにより、アンテナ切り替え回路３は、第１アンテナ１と第２アンテナ２の何れか一方を送受信回路４に接続する。
【００２６】
以下、本実施形態の携帯電話端末において、ＣＰＵ６が、上記ハンドオーバの回数及び基地局の固有識別コード、スルーレート情報、ビットエラーレート情報、フレームエラーレート情報、受信電界強度値、移動検出情報等に基づいて、第１アンテナ１と第２アンテナの何れか一方に設定する際の処理の流れを、図２のフローチャートを用いて説明する。
【００２７】
図２において、ステップＳ１のスタートからステップＳ１１のエンドまでの処理は、一定時間毎、若しくは携帯電話端末が移動した後に停止した場合毎に行われる。ステップＳ１にて処理がスタートしたとき、ＣＰＵ６は、使用するアンテナを第１アンテナ１（無指向性アンテナ）に設定する。これにより、送受信回路４は第１アンテナ１と接続されることになる。
【００２８】
ステップＳ２の処理に進むと、ＣＰＵ６は、当該携帯電話端末の状態が着信の待ち受け状態（待ち受け中）か否か判定する。ステップＳ２にて待ち受け状態であると判定した場合、ＣＰＵ６は、ステップＳ３にて、ＲＳＳＩ検出部２０から得られる受信電界強度値を、例えばＲＡＭ１０などのメモリに一時記憶させる。このステップＳ３の処理後は、ステップＳ５へ処理を進める。
【００２９】
一方、ステップＳ２にて待ち受け中でないと判定した場合、つまり、携帯電話端末が通信状態であると判定した場合、ＣＰＵ６は、ステップＳ４の処理において、現在使用中の無線回線の品質を求め、その品質情報をメモリに一時記憶させる。また、ＣＰＵ６は、このステップＳ４の処理において、スルーレート検出部２２が検出した現在のスルーレート情報と、ＢＥＲ検出部２３が検出したビットエラーレート情報及びＦＥＲ検出部２４が検出したエラーレート情報とを、メモリに一時記憶させる。このステップＳ４の処理後は、ステップＳ５へ処理を進める。
【００３０】
なお、ステップＳ３、ステップＳ４において、メモリへ一時的に情報を記憶する際、当該メモリの容量オーバーになる場合や、携帯電話端末が移動している場合、通信が終了した場合には、古い情報を順次上書きしていく方式で新しい情報を書き込むようにする。メモリに一時記憶された情報は、電源スイッチのオン／オフや携帯電話端末が例えば高速移動していることが検出された場合には、消去する。メモリ上の一時記憶情報は、ユーザの指示により残すことも可能であり、例えば、データレート速度に不満があるような場合に、ボトルネックとなっている原因を探るのに、その情報を役立てることができる。
【００３１】
ステップＳ５の処理に進むと、ＣＰＵ６は、当該携帯電話端末と現在通信中の基地局の固有識別コードと、移動検出部１４からの移動検出情報とを、メモリへ記憶させる。
【００３２】
ステップＳ６の処理に進むと、ＣＰＵ６は、ハンドオーバが発生したか否かを判定する。すなわち、ＣＰＵ６は、別の基地局へ通信経路を切り替えが行われたか否かにより、ハンドオーバが発生したかどうかを判定する。当該ＣＰＵ６は、ステップＳ６にてハンドオーバが発生していないと判定した場合には、ステップＳ１１のエンド処理に進み、一方、ステップＳ６にてハンドオーバが発生したと判定した場合には、ステップＳ７へ処理を進める。
【００３３】
ステップＳ７の処理に進むと、ＣＰＵ６は、ハンドオーバの発生原因が、無線回線の品質異常、受信電界強度の弱電界化、スルーレートとエラーレートの異常、当該携帯電話端末の移動の、何れかによるものかを判定し、また、ハンドオーバ先の基地局とは初めて接続したのかを判定する。すなわち、このステップＳ７において、ＣＰＵ６は、無線回線の品質異常、受信電界強度の弱電界化、スルーレートとエラーレートの異常、当該携帯電話端末の移動の各所定の発生原因によりハンドオーバが発生したのか、或いは、それら所定の発生原因以外の原因（無線回線の品質異常、受信電界強度の弱電界化、スルーレートとエラーレートの異常、当該携帯電話端末の移動の何れでもない原因）によってハンドオーバが発生したのかを判定している。なお、携帯電話端末が移動しているか否かは、ステップＳ５にて例えばＧＰＳ受信回路から得た速度、時間、高度、距離の全て、又はそれらの一部の情報（過去の位置）と、ステップＳ７にて同様にＧＰＳ受信回路から得た情報（現在位置）とを比較することで判別することができる。ＣＰＵ６は、このステップＳ７において何れか一つでも該当する場合、つまりハンドオーバが所定の発生原因により発生したと判定した場合には、ステップＳ１１のエンド処理に進み、一方、何れにも該当しない場合、つまりハンドオーバが所定の発生原因以外の原因により発生したと判定した場合には、ステップＳ８へ処理を進める。
【００３４】
ステップＳ８の処理に進むと、ＣＰＵ６は、ハンドオーバ前に接続していた基地局の固有識別コード毎に、接続回数を加算記録する。すなわちこのステップＳ８において、ＣＰＵ６は、上記所定の発生原因以外の原因により発生したハンドオーバの回数を基地局毎に計測する。
【００３５】
ステップＳ９の処理に進むと、ＣＰＵ６は、所定の時間内において、ハンドオーバが繰り返されることにより、同じ基地局と接続した回数が、予め設定されている所定回数に達したか否かを判定する。ＣＰＵ６は、このステップＳ９にて、ノーと判定した場合にはステップＳ１１のエンド処理に進み、イエスと判定した場合にはステップＳ１０へ処理を進める。
【００３６】
ステップＳ１０の処理に進むと、ＣＰＵ６は、使用するアンテナを第２アンテナ２（指向性アンテナ）に設定する。これにより、送受信回路４は第２アンテナ２と接続されることになる。このステップＳ１０の処理後は、ステップＳ１１のエンド処理に進む。
【００３７】
なお、例えば第２アンテナ２が複数設けられているとした場合、ステップＳ１０にて何れか一つの第２アンテナ２に切り替えられた後、再度ステップＳ１から処理がスタートする際には、ＣＰＵ６は、前回処理時のステップＳ１０にて設定された第２アンテナ２を使用アンテナとする。そして、ステップＳ６にてイエスと判定され、更にステップＳ７とステップＳ９で共にノーと判定されるようなことがあった場合、ＣＰＵ６は、ステップＳ１０にて、先に設定されている第２アンテナ２とは別の第２アンテナ２を、使用アンテナに設定することができる。すなわち本発明において、第２アンテナ２が複数設けられている場合には、所定の発生原因以外の原因によりハンドオーバが頻発して第１アンテナ１から第２アンテナ２に切り替えた後に、更に、所定の発生原因以外の原因によりハンドオーバが頻発するような時には、先に設定されている第２アンテナ２から別の第２アンテナ２へ切り替えるようにしても良い。
【００３８】
また、第２アンテナ２が複数設けられている場合、ＣＰＵ６は、ステップＳ５において、それら複数の第２アンテナ２を受信電界強度が強い順に特定しておき、上述したように第２アンテナ２への切り替え後にハンドオーバが頻発して更に別の第２アンテナ２へ順次切り替えていくような場合には、上記ステップＳ５で特定した受信電界強度が強い順に、第２アンテナ２の切り替えを行うようにしても良い。
【００３９】
次に、図３〜図９を用いて、本実施形態の携帯電話端末において切り替え使用される各アンテナの放射パターンと基地局のカバーエリアとの関係を説明する。図３は、一つの基地局のカバーエリアＥを模式的に表しており、基地局は当該カバーエリアＥの例えば中心部分に設けられているとする。また、図４は、無指向性アンテナである第１アンテナ１の放射パターンＮＡを示し、図５は指向性アンテナである第２アンテナ２の放射パターンＨＡを示している。なお、図４の場合のアンテナ位置は放射パターンＮＡの円の中心位置であり、図５のアンテナ位置は扇形の放射パターンＨＡの支点位置となる。
【００４０】
図６、図７は、複数の基地局の各カバーエリアが図中Ｅ１〜Ｅ１０に示すようにそれぞれ配置されている場合において、例えばカバーエリアＥ３，Ｅ７，Ｅ８の境界付近Ｐ１に携帯電話端末が位置しているときの、アンテナの放射パターンと各基地局のカバーエリアとの関係を示している。なお、実際の各カバーエリアＥ１〜Ｅ１０は互いに重なっている部分がある。また、図６は携帯電話端末にて無指向性の第１アンテナ１が使用されているときの状態を表し、図７は携帯電話端末にて指向性の第２アンテナ２が使用されているときの状態を表している。ここで、図６の例において、携帯電話端末が移動していない場合、当該携帯電話端末は、カバーエリアＥ３，Ｅ７，Ｅ８の各基地局の何れとも通信可能であり、さらにはカバーエリアＥ４，Ｅ６，Ｅ１０の各基地局とも通信可能であるため、それら各基地局との間でハンドオーバが頻発することになる。このようにハンドオーバが頻発する場合に、使用するアンテナを第２アンテナ２へ切り替えることで、本実施形態の携帯電話端末が通信可能な基地局は、例えば図７のように、第２アンテナ２の放射パターンＨＡの方向である、カバーエリアＥ３，Ｅ４，Ｅ８の各基地局のみになり、その結果、図６の例よりも遙かにハンドオーバの回数が減ることになる。
【００４１】
図８、図９は、複数の基地局の各カバーエリアが図中Ｅ１〜Ｅ１０に示すようにそれぞれ配置されている場合において、例えばカバーエリアＥ６の中心付近Ｐ２に携帯電話端末が位置しているときの、アンテナの放射パターンと各基地局のカバーエリアとの関係を示している。また、図８は携帯電話端末にて無指向性の第１アンテナ１が使用されているときの状態を表し、図９は携帯電話端末にて指向性の第２アンテナ２が使用されているときの状態を表している。ここで、図８の例において、携帯電話端末が移動していない場合、当該携帯電話端末は、カバーエリアＥ６の基地局だけでなく、カバーエリアＥ１，Ｅ２，Ｅ３，Ｅ５，Ｅ７，Ｅ９の各基地局の何れとも通信可能であるため、それら各基地局との間でハンドオーバが頻発することになる。このようにハンドオーバが頻発する場合に、使用するアンテナを第２アンテナ２へ切り替えることで、本実施形態の携帯電話端末が通信可能な基地局は、例えば図９のように、第２アンテナ２の放射パターンＨＡの方向である、カバーエリアＥ６，Ｅ１，Ｅ２，Ｅ３の各基地局のみとなり、その結果、図８の例よりも遙かにハンドオーバの回数が減ることになる。
【００４２】
以上説明したように、本発明実施形態の携帯電話端末によれば、所定の発生原因以外の原因によりハンドオーバが頻発する場合には、使用アンテナを指向性の第２アンテナ２へ切り替えることにより、ハンドオーバの発生回数を大幅に減らすことが可能となっている。そして、本実施形態の携帯電話端末によれば、不要なハンドオーバの頻発を防ぐことで、通信時のスループットの悪化を防止できる。特に、本発明を例えば５ＧＨｚ以上の高周波数帯の無線ＬＡＮを行うために固定した状態で移動無線通信端末を使用するような場合、本発明は、マルチパス対策として非常に有効である。
【００４３】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００４４】
例えば、携帯電話端末の移動検出方法の他の例として、現在より以前に通信した各基地局の固有識別コードを記憶し、それら各基地局の固有識別コードを元にして、ハンドオーバによる各基地局の接続履歴と各基地局毎の接続の頻度を求めることで、隣接基地局との間で循環的なハンドオーバが発生しているかどうかを判定し、当該循環的なハンドオーバが発生しているときには当該携帯電話端末は移動していないと判断し、一方、循環的なハンドオーバでないときには当該携帯電話端末は移動していると判断するような移動検出方法を用いることも可能である。
【００４５】
また本発明実施形態において、例えば指向性の第２アンテナ２へ切り替えたことで通信が途切れるような場合は、無指向性の第１アンテナ１へ戻すようにしても良い。
【００４６】
さらに、本発明実施形態の携帯電話端末のように、人体に略々接触した状態と接触しない状態の何れの使用状態をも取り得る場合において、例えば人体に接触した使用状態のときには、指向性の第２アンテナ２へ切り替えるようにしても良い。すなわち、携帯電話端末が人体に接触した使用状態のときに、無指向性のアンテナを使用すると、人体への電波被爆量（Synthetic Aperture Radar：ＳＡＲ値）が大きくなる虞があり、同時に、人体による電波吸収によりアンテナ放射効率が低下する虞もある。したがって、携帯電話端末が人体へ略々接触している使用状態のときに第２アンテナ２へ切り替えれば、人体への電波被爆量を低減できると同時に、人体による電波吸収を低減することもできるためアンテナ放射効率を改善することが可能となる。この例の場合、例えば、送受信回路４内にＶＳＷＲ（Voltage Standing Wave Ratio）センサを設け、ＣＰＵ６が当該ＶＳＷＲセンサの出力値を元に、当該携帯電話端末が人体に接触しているか否かを判断する。そして、ＣＰＵ６は、携帯電話端末が人体に接触していると判断した場合、使用アンテナを第２アンテナ２へ切り替えるように、切り替え制御回路７に命令を送る。なお、ＶＳＷＲセンサは、アンテナのインピーダンス変化に相当する値を検出するためのセンサであり、方向性結合器や検波回路等により構成することができる。ＣＰＵ６は、ＶＳＷＲセンサの方向性結合器や検波回路等から得られた進行波と反射波の検波電圧の比から反射係数を求め、その反射係数からＶＳＷＲ値を測定し、そのＶＳＷＲ値が予め決められている規定値よりも大きい場合には、当該携帯電話端末が人体に接触していると判断する。
【図面の簡単な説明】
【００４７】
【図１】本発明実施形態の携帯電話端末の内部回路構成の主要部を示すブロック図である。
【図２】本実施形態の携帯電話端末のＣＰＵが行う、アンテナ切り替え処理のフローチャートである。
【図３】一つの基地局のカバーエリアを模式的に示す図である。
【図４】第１アンテナ（無指向性アンテナ）の放射パターンを模式的に示す図である。
【図５】第２アンテナ（指向性アンテナ）の放射パターンを模式的に示す図である。
【図６】複数基地局のカバーエリアと、隣接基地局の境界付近に位置している携帯電話端末の第１アンテナの放射パターンとの、関係説明に用いる図である。
【図７】複数基地局のカバーエリアと、隣接基地局の境界付近に位置している携帯電話端末の第２アンテナの放射パターンとの、関係説明に用いる図である。
【図８】複数基地局のカバーエリアと、或る基地局の中心付近に位置している携帯電話端末の第１アンテナの放射パターンとの、関係説明に用いる図である。
【図９】複数基地局のカバーエリアと、或る基地局の中心付近に位置している携帯電話端末の第２アンテナの放射パターンとの、関係説明に用いる図である。
【符号の説明】
【００４８】
１…第１アンテナ
２…第２アンテナ
３…アンテナ切り替え回路
４…送受信回路
５…ベースバンド信号処理回路
６…ＣＰＵ
７…切り替え制御回路
１４…移動検出部
２０…ＲＳＳＩ検出部
２１…ハンドオーバ処理部
２２…スルーレート検出部
２３…ＢＥＲ検出部
２４…ＦＥＲ検出部
Ｅ（Ｅ１〜Ｅ１０）…基地局のカバーエリア
ＮＡ…第１アンテナ（無指向性アンテナ）の放射パターン
ＨＡ…第２アンテナ（指向性アンテナ）の放射パターン
【図１】
2005033575.tif 000003
【図２】
2005033575.tif 000004
【図３】
2005033575.tif 000005
【図４】
2005033575.tif 000006
【図５】
2005033575.tif 000007
【図６】
2005033575.tif 000008
【図７】
2005033575.tif 000009
【図８】
2005033575.tif 000010
【図９】
2005033575.tif 000011